(57)【要約】【課題】紙コップやプラスチックコップなどのような使い捨てコップの仕入れなどにかかったコストを回収できるような使い捨てコップを提供し、また、１ロットサイズを小さくすることによって、使い捨てコップの大量廃棄を防止してコストの低減を図る。【解決手段】側面部１０と底面部とで囲まれた内側に飲料を注入することのできる使い捨てコップ１において、その側面部１０又は／及び底面部に、当該飲料の販売提供者以外の者の宣伝広告情報を印刷する。また、一のシリンダー２１…の幅方向に、異なる広告主の宣伝広告情報をマーキングし、これにより１ロットサイズをその広告主分だけ分割して小さなロットサイズの受注を可能にする。更に、複数のシリンダー２１…のうち、流動情報のみをマーキングしたシリンダー２２を取り替え可能とする。【選択図】図１
2006160356.tif 000002
【特許請求の範囲】
【請求項１】
側面部と底面部を有してなり、その側面部と底面部とで囲まれた内側に飲料を注入することのできる使い捨てコップにおいて、
その側面部又は／及び底面部に、当該飲料の販売提供者以外の者の宣伝広告情報を印刷してなることを特徴とする使い捨てコップ。
【請求項２】
複数のシリンダーを用いて使い捨てコップの側面部に印刷を行う使い捨てコップの製造方法において、
幅方向にそれぞれ異なった広告主の宣伝広告情報をマーキングしたシリンダーを用いて前記使い捨てコップの側面部に当該使い捨てコップを用いた飲料の販売提供者以外の者の宣伝広告情報を印刷するようにしたことを特徴とする使い捨てコップの製造方法。
【請求項３】
複数のシリンダーを用いて使い捨てコップの側面部に印刷を行う使い捨てコップの製造方法において、
幅方向にそれぞれ異なる広告主の固定的な宣伝広告情報をマーキングした第一のシリンダーと、幅方向にそれぞれ対応した広告主の流動的な宣伝広告情報をマーキングした第二のシリンダーとを用いて、前記使い捨てコップの側面に当該使い捨てコップを用いた飲料の販売提供者以外の者の宣伝広告情報を印刷するようにしたことを特徴とする使い捨てコップの製造方法。
【請求項４】
側面部と底面部を有してなり、その側面部と底面部とで囲まれた内側に飲料を注入することのできる使い捨てコップにおいて、
その側面部又は／及び底面部に、当該飲料の販売提供者以外の者の固定的な宣伝広告情報と流動的な宣伝広告情報とからなる宣伝広告情報を印刷してなることを特徴とする使い捨てコップ。
【発明の詳細な説明】
【技術分野】
【０００１】
本発明は、紙コップやプラスチックコップなどのような使い捨てコップに関するものであり、より具体的には、製造コストを回収することができ、若しくは、製造コストを低減することのできる使い捨てコップ及びその製造方法に関するものである。
【背景技術】
【０００２】
近年、日本などにおいても移動式カフェなるものが見受けられるようになってきてきている（非特許文献１）。この移動式カフェは、ワンボックスカーなどをオフィス街に移動させて駐車場などに駐車し、その場所で、コーヒーなどの飲料を販売できるようにしたものである。
【０００３】
ところで、このような移動式カフェは、車内にコップなどの食器を洗浄する設備を有していないことが多いため、現在では、そのような飲料を販売する際、紙コップやプラスチックコップ（以下、「使い捨てコップ」と称する）などを多く使用している。
【０００４】
また、移動式カフェに限らず、近年では洗浄設備を備え付けることができない比較的小規模な店舗などにおいても、紙コップやプラスチックコップなどの使い捨てコップが多く使用されるようになってきている。
【非特許文献１】「移動式カフェ  キアロ」に関するホームページ（平成１６年１１月１９日確認）http://www.cafe-kiaro.com/
【発明の開示】
【発明が解決しようとする課題】
【０００５】
しかしながら、このような使い捨てコップは、ガラス製のコップや陶器製のコップなどに比べて比較的コストが高くつく。具体的には、紙コップの場合、その紙コップの占めるコストの割合はコーヒーの販売価格の１３％〜１４％を占めている。このため、この紙コップなどにかかるコストを低減し、若しくは、かかったコストを回収する方法が現在のところ模索されている。
【０００６】
そこで、本発明はかかる課題に着目してなされたもので、まず、このような使い捨てコップの仕入れなどにかかったコストを回収することのできる使い捨てコップ及びその製造方法を提供することを目的とする。
【０００７】
また、現在、使い捨てコップの表面には、その移動式カフェの社名やロゴなどのような固定的な情報などが印刷されている。このような情報は、使い捨てコップの製造工程で印刷されるものであり、飲料の販売提供者からの受注によってその印刷がなされるものである。
【０００８】
しかしながら、このような使い捨てコップは、種々の条件から、１ロットサイズとして２０万〜３０万個からしか製造することができない。このため、例えば、夏用の使い捨てコップとして氷を多く入れられるラージサイズを多く発注した場合、秋口から冬にかけてそのサイズの使い捨てコップが多く残ってしまうという問題がある。更に、１ロットサイズが大きいと、その使い捨てコップの表面に期間限定のキャンペーン情報などを印刷した場合、その期間内に使い捨てコップを使い切ることができず、かえって１個当たりのコストが高くなってしまうという問題を有していた。
【０００９】
そこで、本発明は、第二の目的として、１ロットサイズを小さく抑えることによって使い捨てコップの大量廃棄を防止し、これによって、コストを低く抑えることのできるような使い捨てコップ及びその製造方法を提供することを目的とする。
【課題を解決するための手段】
【００１０】
本発明は、上記第一の課題を解決するために、側面部と底面部を有してなり、その側面部と底面部とで囲まれた内側に飲料を注入することのできる使い捨てコップにおいて、その側面部又は／及び底面部に、当該飲料の販売提供者以外の者の宣伝広告情報を印刷するようにしたものである。
【００１１】
このようにすれば、広告主の宣伝広告情報を印刷することによって、その広告主からの宣伝広告費を徴収することができ、仕入れにかかったコストを回収することができるようになる。
【００１２】
また、本発明は、第二の課題を解決するために、複数のシリンダーを用いて使い捨てコップの側面部に印刷を行う使い捨てコップの製造方法において、幅方向にそれぞれ異なった広告主の宣伝広告情報をマーキングしたシリンダーを用いて、前記使い捨てコップの側面部に当該使い捨てコップを用いた飲料の販売提供者以外の者の宣伝広告情報を印刷するようにしたものである。
【００１３】
このようにすれば、従来、例えば、１ロットサイズとして最低３０万個からしか受注することができなかったものを、例えば、３社の受注先からの宣伝広告情報を同一のシリンダーで印刷すれば、それぞれ１／３である１０万個から受注することができるようになる。そして、このように１ロットサイズを小さくすることによって、使い捨てコップの回転を良くし、流動的な宣伝広告情報をきめ細かく印刷できるようにするとともに、印刷の変更に伴う使い捨てコップの大量廃棄を防止して、仕入れにかかるコストを低減させることができるようになる。
【００１４】
また、このような製造方法において、一のシリンダーの幅方向に、異なる広告主の固定的な宣伝広告情報をマーキングし、他の一のシリンダーの幅方向には、対応した広告主の流動的な宣伝広告情報をマーキングする。そして、これらのシリンダーを用いて、使い捨てコップを用いた飲料の販売提供者以外の者の固定的な宣伝広告情報と流動的な宣伝広告情報を印刷する。
【００１５】
ここで、固定的な宣伝広告情報とは、比較的長期間にわたって変更することがない宣伝広告情報であり、例えば、社名やロゴなどがこれに該当する。また、流動的な宣伝広告情報とは、比較的短期間の間で書き換えられる宣伝広告情報であり、例えば、期間限定のキャンペーン情報などの他、比較的自由に内容を書き換えることのできる自社のホームページのＵＲＬや、そのＵＲＬ情報を記録したＱＲコードなどの情報が該当する。
【００１６】
このようにすれば、流動的な宣伝広告情報を変更する場合は、流動的な宣伝広告情報をマーキングしたシリンダーのみを変更するだけで対応することができ、製造コストの低減を図ることで、ひいては、仕入先側の仕入れコストをも低減させることができるようになる。
【発明の効果】
【００１７】
本発明では、側面部と底面部を有してなり、その側面部と底面部とで囲まれた内側に飲料を注入することのできる使い捨てコップにおいて、その側面部又は／及び底面部に、当該飲料の販売提供者以外の者の宣伝広告情報を印刷するようにしたので、広告主の宣伝広告情報を印刷することによって、その広告主からの宣伝広告費を徴収することができ、仕入れにかかったコストを回収することができるようになる。
【００１８】
また、別の発明では、複数のシリンダーを用いて使い捨てコップの側面部に印刷を行う使い捨てコップの製造方法において、幅方向にそれぞれ異なった広告主の宣伝広告情報をマーキングしたシリンダーを用いて、前記使い捨てコップの側面部に当該使い捨てコップを用いた飲料の販売提供者以外の者の宣伝広告情報を印刷するようにしたので、そのシリンダーにマーキングされている広告主分だけ１ロットサイズを分割して小さくすることができる。そして、このように１ロットサイズを小さくすることによって、使い捨てコップの回転を良くし、流動的な宣伝広告情報をきめ細かく印刷できるようにするとともに、印刷の変更に伴う使い捨てコップの大量廃棄を防止して、仕入れのコストも低減させることができるようになる。
【発明を実施するための最良の形態】
【００１９】
以下、この発明の一実施の形態について図面を参照して説明する。図１は、この実施の形態を示す使い捨てコップの側面図を示したものであり、図２は、この形態における使い捨てコップの製造装置の概略図を示したものである。また、図３は、その製造装置の固定的な情報を印刷するためのシリンダーと流動的な情報を印刷するためのシリンダーを示したものである。
【００２０】
この使い捨てコップ１は、紙、若しくは、プラスチックなどのようなリサイクル可能な材料で形成されるもので、その側面部１０に、この使い捨てコップ１を用いた飲料の販売提供者を示すための販売者情報部１２ａと、この飲料の販売提供者以外の広告主の宣伝広告情報部１２とを設けている。これらの情報は、それぞれの主体を明確に区別して印刷する必要があるため、この実施の形態においては、例えば、販売者情報を印刷するための販売者情報部１２ａを上側に大きく設け、また、その下側に広告主の宣伝広告部１２ｂを小さく設けるようにしている。なお、これらの販売者情報部１２ａと宣伝広告部１２ｂについては、上下方向に限らず、外周方向に沿って大きさを変えて配置するようにしても良い。
【００２１】
この下側の広告主の宣伝広告部１２ｂには、固定情報印刷部１２０ｂと流動情報印刷部１２１ｂが設けられる。固定情報印刷部１２０ｂには、長期間にわたって殆ど変更されることのない固定的な情報（以下、固定情報と称する）が印刷され、また、流動情報印刷部１２１ｂには、比較的短期間の間に変更される流動的な情報（以下、流動情報と称する）が印刷される。この固定情報としては、例えば、広告主の社名やロゴ、若しくは、「ゴミはくずかごへ」や「リサイクルにご協力下さい」などのような固定的な情報などがある。また、流動情報としては、例えば、キャンペーン情報などの他、その広告主のホームページへアクセスするためのＵＲＬや、そのホームページにジャンプするためのＱＲコード（登録商標）などの情報がある。これらの情報は、携帯電話のキーを使って、若しくは、携帯電話のカメラ撮像によって入力される。このようにすれば、広告主の社名やロゴなどの固定情報を簡単に目視によってアピールすることができ、また、ホームページにアクセスさせることによって短期間のうちに変更されるきめ細かな流動情報をユーザに知らせることができる。
【００２２】
次に、このような使い捨てコップ１の製造装置２、及び、その使い捨てコップ１の製造方法について説明する。
【００２３】
この使い捨てコップの製造装置２は、図２に示すように、使い捨てコップ１の原料となるウェブ状の媒体３を保持する媒体保持部２０と、この媒体保持部２０から繰り出された用紙、若しくは、プラスチックに印刷処理を施すための複数のシリンダー２１、２２、２３、２４と、このシリンダーによって印刷された媒体３を扇形状に裁断するカッター装置２５などを具備してなる。
【００２４】
これらのシリンダー２１、２２、２３、２４のうち、上流側の２本のシリンダー２１、２２には、媒体３に印刷処理を行うためのマーキングが施されている。このマーキングは、レーザー加工などによって行われる。従来では、図４に示すように、一のシリンダーの幅方向に同一の社名のマーキングを設けており、これによって、同一種類の使い捨てコップを大量に生産できるようにしていた。しかしながら、同一のマーキングを設けている場合は、１ロットサイズとして、例えば、３０万個という大量の数字からしか受注することができず、キャンペーン期間中に全ての使い捨てコップ１を使い切ることができず、また、秋口からは氷を入れるためのラージサイズの使い捨てコップが大量に余ってしまうという問題があった。
【００２５】
そこで、この実施の形態では、１ロットサイズを小さくすべく、一のシリンダーの幅方向に、異なる広告主の宣伝広告情報をマーキングし、これにより１ロットサイズをその広告主分だけ分割して小さなロットサイズからの受注を可能にしている。これにより、例えば、１ロットサイズが３０万個と設定されていたような場合は、３人の広告主で分割すれば、１ロットサイズ１０万個から受注することができるようになる。これにより、キャンペーン期間の過ぎた使い捨てコップを大量に廃棄することなく、また、秋口にかけても、ラージサイズの使い捨てコップを小刻みに発注することができるようになる。
【００２６】
更に、この実施の形態では、製造コストを低減させるために、複数のシリンダーのうち、第一のシリンダー２１を固定情報印刷用のシリンダーとするとともに、第二のシリンダー２２を流動情報印刷用のシリンダーに設定している。なお、図２において、それよりも下流側のシリンダー２３、２４は、着色用のシリンダーであり、使い捨てコップ１の表面に種々の着色を行えるようにしたものである。
【００２７】
この第一のシリンダー２１には、幅方向に沿って３社の固定情報がマーキングされており、それぞれの印刷領域に、販売者情報部１２ａに印刷するための販売者情報や、広告主の固定情報印刷部１２０ｂに印刷するための広告主固定情報を印刷できるようにしている。なお、この広告主の数については３社に限定されるものではなく、例えば、５社などであっても良い。
【００２８】
また、第二のシリンダー２２の幅方向には、第一のシリンダー２１にマーキングされた情報に対応する位置に、例えば、広告主の流動情報印刷部１２１ｂに流動情報を印刷するためのマーキングを設けている。この第二のシリンダー２２は、他のシリンダー２１、２３、２４と同様に着脱可能に取り付けられており、流動情報の使用期間が過ぎたような場合には、その第二のシリンダー２２のみを新しい他のシリンダーに取り替えて、広告主流動情報のみを変更できるようにしている。なお、この第二のシリンダー２２には、広告主の流動情報のみをマーキングしているが、これに限らず、販売提供者の流動情報をマーキングするようにしても良い。
【００２９】
このように上記実施の形態によれば、使い捨てコップ１の側面部１０に、その飲料の販売提供者以外の者の宣伝広告情報を印刷するようにしたので、広告主の宣伝広告情報を印刷することによって、その広告主からの宣伝広告費を徴収することができ、仕入れにかかったコストを回収することができるようになる。
【００３０】
また、このような使い捨てコップを製造する際、それぞれ異なった広告主の宣伝広告情報をシリンダー２１、２２の幅方向に沿ってマーキングしておき、このシリンダー２１、２２を用いて、同時に複数の広告主の宣伝広告情報を印刷するようにしたので、従来、例えば、最低３０万個からしか受注することができなかったものを、例えば、３社の受注先からの宣伝広告情報を同一のシリンダー２１、２２、２３、２４で印刷すれば、それぞれ１／３である１０万個から受注することができるようになる。そして、このように１ロットサイズを小さくすることによって、流動情報を短期間の間に変更することができるようになる。
【００３１】
更に、この実施の形態では、幅方向に異なる広告主の固定的な宣伝広告情報をマーキングした第一のシリンダー２１と、これに対応した位置にその広告主の流動的な宣伝広告情報をマーキングした第二のシリンダー２２を用いて印刷するようにしたので、流動情報のみを変更する場合は、その第二のシリンダー２２のみを変更するだけで対応することができ、製造コストの低減を図ることができ、ひいては、仕入れ先の仕入れコストをも低減させることができるようになる。また、小さなロットサイズで短期間の間に変更される流動情報を印刷できるようにしたので、細かな情報を載せることができ、宣伝広告の効果を上げることができるようになる。
【００３２】
なお、本発明は上記実施の形態に限定されるものではなく、種々の態様で実施することができる。
【００３３】
例えば、上記実施の形態では、使い捨てコップ１の側面部１０に広告情報を印刷するようにしているが、これに限らず、内側側面や底面の内側若しくは外側に広告情報を印刷するようにしても良い。
【００３４】
また、上記実施の形態では、一つの使い捨てコップに一社のみの広告主の宣伝広告情報を印刷しているが、これに限らず、複数社の宣伝広告情報を一つの使い捨てコップに印刷するようにしても良い。
【図面の簡単な説明】
【００３５】
【図１】本発明の一実施の形態を示す使い捨てコップの側面図
【図２】同形態における使い捨てコップの製造装置を示す概略図
【図３】図２におけるシリンダーのマーキングの状態を示す図
【図４】従来例におけるシリンダーのマーキングの状態を示す図
【符号の説明】
【００３６】
１・・・使い捨てコップ
２・・・使い捨てコップの製造装置
３・・・ウェブ状の媒体
４・・・マーキング
１０・・・側面図
１１・・・底面図
１２・・・宣伝広告情報
１２ａ・・・販売者情報
１２ｂ・・・宣伝広告の固定情報
１２c・・・宣伝広告の流動情報
２０・・・媒体保持部
２１・・・第一のシリンダー
２２・・・第二のシリンダー
２３、２４・・・他のシリンダー
２５・・・カッター装置
【図１】
2006160356.tif 000003
【図２】
2006160356.tif 000004
【図３】
2006160356.tif 000005
【図４】
2006160356.tif 000006